(57)【要約】【課題】同期データの入れ替えをともなう定期的な同期処理の弊害を除去することによって、利便性を向上させることができる「情報処理装置、車載機、情報システムおよび情報処理装置制御プログラム」を提供すること。【解決手段】定期的に訪れる所定の時期に、複数個の同期データにおける車載機３側に保持されている同期データに含まれる再生対象データの再生率が、所定の再生率以上となっている場合に、車載機３に前記複数個の同期データにおける新たな同期データを提供することによって、複数回に分割された同期処理を行うように形成されていること。【選択図】図１
2007149150.tif 000002
【特許請求の範囲】
【請求項１】
情報処理装置側の再生対象データをランダムに抽出することによって、車載機側に保持される再生対象データを情報処理装置側の再生対象データと同一内容にする同期処理を行うための複数個の同期データを生成し、生成された前記複数個の同期データを前記車載機に時間間隔を設けて順次提供することによって、車載機側に保持されている前記同期データの入れ替えをともなう複数回に分割された同期処理を行う情報処理装置であって、
定期的に訪れる所定の時期に、前記複数個の同期データにおける前記車載機側に保持されている同期データに含まれる再生対象データの再生率が、所定の再生率以上となっている場合に、前記車載機に前記複数個の同期データにおける新たな同期データを提供することによって、前記複数回に分割された同期処理を行うように形成されていること
を特徴とする情報処理装置。
【請求項２】
前記同期データの生成数に対する提供数の割合である同期処理完了率が、所定の同期処理完了率となった場合に、前記情報処理装置側の再生対象データを再びランダムに抽出することによって新たな複数個の同期データを生成し、生成された前記新たな複数個の同期データを用いて前記複数回に分割された同期処理を行うように形成されていること
を特徴とする請求項１に記載の情報処理装置。
【請求項３】
前記再生対象データが、音楽データとされていることを特徴とする請求項１または請求項２に記載の情報処理装置。
【請求項４】
前記同期処理を無線通信または有線通信を介して行うように形成されていることを特徴とする請求項１乃至請求項３のいずれか1項に記載の情報処理装置。
【請求項５】
情報処理装置との間で車載機側に保持される再生対象データを情報処理装置側の再生対象データと同一内容にする同期処理を行う際に、前記情報処理装置から、前記情報処理装置側の再生対象データをランダムに抽出することによって生成された複数個の同期データが時間間隔を設けて順次提供されることによって、車載機側に保持されている前記同期データの入れ替えをともなう複数回に分割された同期処理を行う車載機であって、
定期的に訪れる所定の時期に、前記複数個の同期データにおける前記車載機側に保持されている同期データに含まれる再生対象データの再生率が、所定の再生率以上となっている場合に、前記情報処理装置に、前記複数個の同期データにおける新たな同期データを要求し、この要求によって前記情報処理装置から前記新たな同期データが提供されることによって、前記複数回に分割された同期処理を行うように形成されていること
を特徴とする車載機。
【請求項６】
前記同期データの生成数に対する提供数の割合である同期処理完了率が所定の同期処理完了率となった場合に、前記情報処理装置に、前記情報処理装置側の再生対象データを再びランダムに抽出することによって新たな複数個の同期データを生成する旨を要求し、この要求によって生成された前記新たな複数個の同期データを用いて前記複数回に分割された同期処理を行うように形成されていること
を特徴とする請求項５に記載の車載機。
【請求項７】
前記再生対象データが、音楽データとされていることを特徴とする請求項５または請求項６に記載の車載機。
【請求項８】
前記同期処理を無線通信または有線通信を介して行うように形成されていることを特徴とする請求項５乃至請求項７のいずれか1項に記載の車載機。
【請求項９】
情報処理装置と車載機とを備え、前記情報処理装置に、情報処理装置側の再生対象データをランダムに抽出させることによって、車載機側に保持される再生対象データを情報処理装置側の再生対象データと同一内容にする同期処理を行うための複数個の同期データを生成させ、生成させた前記複数個の同期データを前記車載機に時間間隔を設けて順次提供させることによって、車載機側に保持されている前記同期データの入れ替えをともなう複数回に分割された同期処理を行う情報システムであって、
定期的に訪れる所定の時期に、前記複数個の同期データにおける前記車載機側に保持されている同期データに含まれる再生対象データの再生率が、所定の再生率以上となっている場合に、前記情報処理装置に、前記複数個の同期データにおける新たな同期データを前記車載機に提供させることによって、前記複数回に分割された同期処理を行うように形成されていること
を特徴とする情報システム。
【請求項１０】
前記同期データの生成数に対する提供数の割合である同期処理完了率が、所定の同期処理完了率となった場合に、前記情報処理装置に、前記情報処理装置側の再生対象データを再びランダムに抽出させることによって新たな複数個の同期データを生成させ、前記新たな複数個の同期データを用いて前記複数回に分割された同期処理を行うように形成されていること
を特徴とする請求項９に記載の情報システム。
【請求項１１】
前記再生対象データが、音楽データとされていることを特徴とする請求項９または請求項１０に記載の情報システム。
【請求項１２】
前記同期処理を無線通信または有線通信を介して行うように形成されていることを特徴とする請求項９乃至請求項１１のいずれか1項に記載の情報システム。
【請求項１３】
情報処理装置に、情報処理装置側の再生対象データをランダムに抽出させることによって、車載機側に保持される再生対象データを情報処理装置側の再生対象データと同一内容にする同期処理を行うための複数個の同期データを生成させ、生成させた前記複数個の同期データを前記車載機に時間間隔を設けて順次提供させることによって、前記情報処理装置に、車載機側に保持されている前記同期データの入れ替えをともなう複数回に分割された同期処理を行わせる情報処理装置制御プログラムであって、
定期的に訪れる所定の時期に、前記複数個の同期データにおける前記車載機側に保持されている同期データに含まれる再生対象データの再生率が、所定の再生率以上となっている場合に、前記情報処理装置に、前記複数個の同期データにおける新たな同期データを前記車載機に提供させることによって、前記情報処理装置に前記複数回に分割された同期処理を行わせるように形成されていること
を特徴とする情報処理装置制御プログラム。
【発明の詳細な説明】
【技術分野】
【０００１】
本発明は、情報処理装置、車載機、情報システムおよび情報処理装置制御プログラムに係り、特に、情報処理装置と車載機との間で、再生対象データの同期処理を行うのに好適な情報処理装置、車載機、情報システムおよび情報処理装置制御プログラムに関する。
【背景技術】
【０００２】
近年、車載機に適用される技術として、ユーザのホーム・コンピュータと車載機とを連携させて、ホーム・コンピュータから車載機に音楽データを取り込むことによって、車載機側に保持される音楽データをホーム・コンピュータ側の音楽データと同一内容にする同期（シンク）処理を行うシステムが検討されている。
【０００３】
このようなシステムでは、ホーム・コンピュータと車載機とを無線ＬＡＮ等の通信手段によって接続し、特定の時刻に、ホーム・コンピュータから車載機に音楽データを自動的に送信することが想定されている。
【０００４】
また、このような同期処理を行うシステムとしては、ホーム・コンピュータ側の記憶容量に比べて車載機側の記憶容量が小さいことを考慮して、車載機側に記憶されて保持されている音楽データの入れ替えをともなう複数回に分割された同期処理を行うシステムが提案されている。
【０００５】
図８は、このような音楽データの入れ替えをともなう複数回に分割された同期処理を行うシステムの動作を示したものであり、このシステムによれば、まず、ホーム・コンピュータが、ホーム・コンピュータ側の音楽データをランダムに抽出することによって、同期処理を行うための同期データとしてのシンクデータを複数個生成する。
【０００６】
なお、図８においては、Sync Data (1)からSync Data (3)までの３個のシンクデータが生成されている。１個のシンクデータには、複数曲分の音楽データが含まれている。
【０００７】
次いで、定期的に訪れる同期処理の時期（例えば、毎週の特定の曜日時刻）に、車載機がホーム・コンピュータにシンクデータを要求することによって、コンピュータが、生成された複数個のシンクデータにおける１個のシンクデータを車載機に送信する。
【０００８】
なお、図８においては、第１回目の同期処理（図８における１回目シンク処理）によってSync Data (1)が、第２回目の同期処理（図８における２回目シンク処理）によってSync Data (2)が、第３回目の同期処理（図８における３回目シンク処理）によってSync Data (3)が、ホーム・コンピュータから車載機に送信される。
【０００９】
また、車載機は、各回の同期処理によって送信されたシンクデータを、前回の同期処理によって車載機側に記憶されているシンクデータと入れ替えることで、ホーム・コンピュータとの記憶容量の差を補うようになっている。
【００１０】
例えば、車載機は、第２回目の同期処理によって送信されたSync Data (2)をSync Data (1)に上書きする（入れ替える）ようになっている。
【００１１】
このように、車載機側に記憶されて保持されているシンクデータの入れ替えをともなう同期処理を繰り返すことによって、ホーム・コンピュータ側のすべての音楽データが、所定の期間（次の同期処理までの期間）単位で記憶されることになり、複数回に分割された同期処理が完了することになる。
【００１２】
【特許文献１】特開２００１−２２９６５２号公報
【特許文献２】特開２００３−３０９６９号公報
【発明の開示】
【発明が解決しようとする課題】
【００１３】
ところで、前述のように、車載機側に保持されているシンクデータの入れ替えをともなう複数回に分割された同期処理を行うことは、車載機において、各回の同期処理によって送信されたシンクデータに含まれる複数曲分の音楽データを、次回の同期処理までの間にある程度聴くことができる場合には有効であった。
【００１４】
しかしながら、そうでない場合には、車載機側で音楽データをほとんど聴いていないにもかかわらず、次回の同期処理によって別の新たな音楽データに入れ替わってしまうといった問題が生じていた。
【００１５】
また、車載機のユーザが、特定の音楽データを気に入って何度も聴いているのに、定期的な同期処理が行われることによって、その音楽データを当分の間聴くことができなくなるといった問題も生じていた。
【００１６】
そこで、本発明は、このような問題点に鑑みなされたものであり、車載機側に保持されている同期データの入れ替えをともなう定期的な同期処理の弊害を除去することによって、利便性を向上させることができる情報処理装置、車載機、情報システムおよび情報処理装置制御プログラムを提供することを目的とするものである。
【課題を解決するための手段】
【００１７】
前述した目的を達成するため、本発明に係る情報処理装置は、定期的に訪れる所定の時期に、複数個の同期データにおける車載機側に保持されている同期データに含まれる再生対象データの再生率が、所定の再生率以上となっている場合に、車載機に前記複数個の同期データにおける新たな同期データを提供することによって、複数回に分割された同期処理を行うように形成されていることを特徴としている。そして、このように構成された情報処理装置によれば、定期的に訪れる所定の時期に、必ずしも１回分の同期処理を行うのではなく、その時期に車載機側に保持されている同期データに含まれる再生対象データの再生率が低い場合には、その時期の同期処理を行わないようにすることが可能となる。
【００１８】
また、本発明に係る情報処理装置は、同期データの生成数に対する提供数の割合である同期処理完了率が、所定の同期処理完了率となった場合に、前記情報処理装置側の再生対象データを再びランダムに抽出することによって新たな複数個の同期データを生成し、生成された前記新たな複数個の同期データを用いて前記複数回に分割された同期処理を行うように形成されていることを特徴としている。そして、このように構成された情報処理装置によれば、元の複数個の同期データにおける車載機に未提供の末尾側の同期データに含まれている再生対象データを、新たな複数個の同期データにおける先頭側の同期データに含ませることが可能となる。
【００１９】
さらに、本発明に係る情報処理装置は、再生対象データが、音楽データとされていることを特徴としている。そして、このように構成された情報処理装置によれば、定期的に訪れる所定の時期に、必ずしも１回分の同期処理を行うのではなく、その時期に車載機側に保持されている同期データに含まれる音楽データの再生率が低い場合には、その時期の同期処理を行わないようにすることが可能となる。
【００２０】
さらにまた、本発明に係る情報処理装置は、同期処理を無線通信または有線通信を介して行うように形成されていることを特徴としている。そして、このように構成された情報処理装置によれば、同期処理を簡便に行うことが可能となる。
【００２１】
また、本発明に係る車載機は、定期的に訪れる所定の時期に、複数個の同期データにおける車載機側に保持されている同期データに含まれる再生対象データの再生率が、所定の再生率以上となっている場合に、情報処理装置に、前記複数個の同期データにおける新たな同期データを要求し、この要求によって前記情報処理装置から前記新たな同期データが提供されることによって、複数回に分割された同期処理を行うように形成されていることを特徴としている。そして、このように構成された車載機によれば、定期的に訪れる所定の時期に、必ずしも１回分の同期処理を行うのではなく、その時期に車載機側に保持されている同期データに含まれる再生対象データの再生率が低い場合には、その時期の同期処理を行わないようにすることが可能となる。
【００２２】
さらに、本発明に係る車載機は、同期データの生成数に対する提供数の割合である同期処理完了率が所定の同期処理完了率となった場合に、情報処理装置に、情報処理装置側の再生対象データを再びランダムに抽出することによって新たな複数個の同期データを生成する旨を要求し、この要求によって生成された前記新たな複数個の同期データを用いて前記複数回に分割された同期処理を行うように形成されていることを特徴としている。そして、このように構成された車載機によれば、元の複数個の同期データにおける車載機に未提供の末尾側の同期データに含まれている再生対象データを、新たな複数個の同期データにおける先頭側の同期データに含ませることが可能となる。
【００２３】
さらにまた、本発明に係る車載機は、再生対象データが、音楽データとされていることを特徴としている。そして、このように構成された車載機によれば、定期的に訪れる所定の時期に、必ずしも１回分の同期処理を行うのではなく、その時期に車載機側に保持されている同期データに含まれる音楽データの再生率が低い場合には、その時期の同期処理を行わないようにすることが可能となる。
【００２４】
また、本発明に係る車載機は、同期処理を無線通信または有線通信を介して行うように形成されていることを特徴としている。そして、このように構成された車載機によれば、同期処理を簡便に行うことが可能となる。
【００２５】
さらに、本発明に係る情報システムは、定期的に訪れる所定の時期に、複数個の同期データにおける車載機側に保持されている同期データに含まれる再生対象データの再生率が、所定の再生率以上となっている場合に、情報処理装置に、前記複数個の同期データにおける新たな同期データを車載機に提供させることによって、複数回に分割された同期処理を行うように形成されていることを特徴としている。そして、このように構成された情報システムによれば、定期的に訪れる所定の時期に、必ずしも１回分の同期処理を行うのではなく、その時期に車載機側に保持されている同期データに含まれる再生対象データの再生率が低い場合には、その時期の同期処理を行わないようにすることが可能となる。
【００２６】
さらにまた、本発明に係る情報システムは、同期データの生成数に対する提供数の割合である同期処理完了率が、所定の同期処理完了率となった場合に、情報処理装置に、情報処理装置側の再生対象データを再びランダムに抽出させることによって新たな複数個の同期データを生成させ、前記新たな複数個の同期データを用いて前記複数回に分割された同期処理を行うように形成されていることを特徴としている。そして、このように構成された情報システムによれば、元の複数個の同期データにおける車載機に未提供の末尾側の同期データに含まれている再生対象データを、新たな複数個の同期データにおける先頭側の同期データに含ませることが可能となる。
【００２７】
また、本発明に係る情報システムは、再生対象データが、音楽データとされていることを特徴としている。そして、このように構成された情報システムによれば、定期的に訪れる所定の時期に、必ずしも１回分の同期処理を行うのではなく、その時期に車載機側に保持されている同期データに含まれる音楽データの再生率が低い場合には、その時期の同期処理を行わないようにすることが可能となる。
【００２８】
さらに、本発明に係る情報システムは、同期処理を無線通信または有線通信を介して行うように形成されていることを特徴としている。そして、このように構成された情報システムによれば、同期処理を簡便に行うことが可能となる。
【００２９】
さらにまた、本発明に係る情報処理装置制御プログラムは、定期的に訪れる所定の時期に、複数個の同期データにおける車載機側に保持されている同期データに含まれる再生対象データの再生率が、所定の再生率以上となっている場合に、情報処理装置に、前記複数個の同期データにおける新たな同期データを車載機に提供させることによって、前記情報処理装置に複数回に分割された同期処理を行わせるように形成されていることを特徴としている。そして、このように構成された情報処理装置制御プログラムによれば、定期的に訪れる所定の時期に、必ずしも情報処理装置に１回分の同期処理を行わせるのではなく、その時期に車載機側に保持されている同期データに含まれる再生対象データの再生率が低い場合には、その時期の同期処理を行わせないようにすることが可能となる。
【発明の効果】
【００３０】
本発明に係る情報処理装置、車載機、情報システムおよび情報処理装置制御プログラムによれば、定期的に訪れる所定の時期に、必ずしも１回分の同期処理を行うのではなく、その時期に車載機側に保持されている同期データに含まれる再生対象データの再生率が低い場合には、その時期の同期処理を行わないようにすることができる結果、車載機側に保持されている同期データの入れ替えをともなう定期的な同期処理の弊害を除去することによって、利便性を向上させることができる。
【００３１】
具体的には、車載機側で再生対象データをほとんど再生していないにもかかわらず、定期的な同期処理によって別の新たな再生対象データに入れ替わってしまうことを防止することができる。
【００３２】
また、ユーザが、特定の再生対象データを気に入って何度も再生しているために車載機側に保持されている同期データに含まれる再生対象データの再生率が低い場合には、同期処理を行わないことによって、特定の再生対象データが失われないようにすることができる。
【００３３】
また、本発明によれば、元の複数個の同期データにおける車載機に未提供の末尾側の同期データに含まれている再生対象データを、新たな複数個の同期データにおける先頭側の同期データに含ませることができる結果、より多様な再生対象データを車載機に提供することができ、車載機側でより多様な再生対象データを再生することができる。
【００３４】
さらに、本発明によれば、無線通信または有線通信を介して同期処理を簡便に行うことができる結果、利便性をさらに向上させることができる。
【発明を実施するための最良の形態】
【００３５】
（第１実施形態）
以下、本発明の第１実施形態について、図１乃至図４を参照して説明する。
【００３６】
図１に示すように、本実施形態における情報システム１は、情報処理装置としてのホーム・コンピュータ２と車載機３とを有しており、これらホーム・コンピュータ２と車載機３とは、ホーム・コンピュータ２に接続された無線通信手段としての無線ＬＡＮ５を介して互いに通信可能とされている。
【００３７】
図２に示すように、ホーム・コンピュータ２は、ホーム側ハードディスクドライブ（ＨＤＤ）６を有している。
【００３８】
このホーム側ハードディスクドライブ６には、ホーム・コンピュータ２側の再生対象データとして、複数曲分の音楽データ（以下、ホーム側音楽データと称する）が、ファイルに格納された状態として記憶されている。
【００３９】
ホーム側ハードディスクドライブ６には、システムバス７を介してホーム側制御部９が接続されている。
【００４０】
このホーム側制御部９には、車載機３側に保持される車載機３側の再生対象データとしての音楽データ（以下、車載機側音楽データと称する）を、ホーム側音楽データと同一内容にする同期処理としてのシンク処理に必要なホーム・コンピュータ２の動作が記述されたホーム・コンピュータ制御プログラムが記憶されている。
【００４１】
ホーム側制御部９は、ホーム・コンピュータ制御プログラムを実行することによって、ホーム・コンピュータ２の動作を制御するようになっている。
【００４２】
ホーム側制御部９は、シンクデータ生成部１０を有しており、このシンクデータ生成部１０は、ホーム側制御部９の制御（ホーム側制御部９によるホーム・コンピュータ制御プログラムの実行）により、同期処理を行うための複数個の同期データとしての図３に示す複数個のシンクデータを生成するようになっている。
【００４３】
具体的には、シンクデータ生成部１０は、ホーム側ハードディスクドライブ６に記憶されたホーム側音楽データをランダムに抽出することによって、複数個のシンクデータを生成するようになっている。
【００４４】
なお、図３においては、Sync Data (1)からSync Data (5)までの５個のシンクデータが生成されている。また、１個のシンクデータには、複数曲分のホーム側音楽データが含まれている。さらに、１個のシンクデータのデータサイズは、後述する車載機側ハードディスクドライブ１５の記憶容量以下とされている。
【００４５】
ホーム側制御部９は、複数個のシンクデータを、車載機３を送信先として時間間隔を設けて順次送信するようになっている。
【００４６】
図２に戻って、システムバス７には、ホーム側無線ＬＡＮインターフェース（Ｉ／Ｆ）１１が接続されており、このホーム側無線ＬＡＮインターフェース１１を通してシンクデータが車載機３に送信されるようになっている。
【００４７】
さらに、システムバス７には、ホーム側オーディオ再生部１４が接続されており、このホーム側オーディオ再生部１４は、ホーム側音楽データを再生してスピーカ１２から音声出力するようになっている。
【００４８】
一方、車載機３は、車載機側制御部１８を有しており、この車載機側制御部１８には、シンク処理に必要な車載機３の動作が記述された車載機制御プログラムが記憶されている。
【００４９】
車載機側制御部１８は、車載機制御プログラムを実行することによって、車載機３の動作を制御するようになっている。
【００５０】
なお、車載機制御プログラムは、ホーム・コンピュータ制御プログラムとともに情報システム１を制御する情報システム制御プログラムを構成している。
【００５１】
車載機側制御部１８には、システムバス１６を介して車載機側ハードディスクドライブ（ＨＤＤ）１５が接続されている。
【００５２】
この車載機側ハードディスクドライブ１５には、ホーム・コンピュータ２から送信されて車載機３が受信した１個分のシンクデータが、車載機側制御部１８の制御（車載機側制御部１８による車載機制御プログラムの実行）によって記憶されて保持されるようになっている。この車載機側ハードディスクドライブ１５に記憶されるシンクデータに含まれる音楽データが、前述した車載機側音楽データとなる。
【００５３】
ホーム・コンピュータ２から新たな１個のシンクデータが送信された場合には、車載機側ハードディスクドライブ１５に既に記憶されている１個のシンクデータは、車載機側制御部１８の制御によって新たな１個のシンクデータに上書きされる（入れ替わる）ようになっている。
【００５４】
そして、ホーム・コンピュータ２から前述した複数個のシンクデータのすべてが送信されて車載機側ハードディスクドライブ１５に順次択一的に記憶されることによって、シンク処理が１００％完了することになる。
【００５５】
このようにして、車載機側ハードディスクドライブ１５に記憶されているシンクデータの入れ替えをともなう複数回に分割されたシンク処理が行われるようになっている。
【００５６】
また、システムバス１６には、車載機側無線ＬＡＮインターフェース（Ｉ／Ｆ）２０が接続されており、この車載機側無線ＬＡＮインターフェース２０を通してホーム・コンピュータ２から送信されたシンクデータを受信するようになっている。
【００５７】
さらに、システムバス１６には、車載機側オーディオ再生部２４が接続されており、この車載機側オーディオ再生部２４は、車載機側音楽データを再生してスピーカ２２から音声出力するようになっている。
【００５８】
さて、本実施形態における情報システム１には、従来とは異なり、車載機３に記憶されているシンクデータの入れ替えをともなう定期的なシンク処理の弊害を除去するために好適な手段が講じられている。
【００５９】
すなわち、システムバス１６には、再生率検出部１９が接続されており、この再生率検出部１９は、車載機側制御部１８の制御により、車載機側ハードディスクドライブ１５に記憶されている１個のシンクデータに含まれる車載機側音楽データの再生率を検出するようになっている。
【００６０】
この再生率は、例えば、車載機側ハードディスクドライブ１５に記憶されている１個のシンクデータに含まれる音楽データがｎ曲分の音楽データである場合には、（再生された曲数／ｎ）×１００（％）となる。
【００６１】
車載機側制御部１８は、定期的に訪れる所定の時期としてのシンク判定時期に、再生率検出部１９に再生率を検出させるようになっている。なお、シンク判定時期は、例えば、毎週の特定の曜日時刻であってもよい。
【００６２】
そして、車載機３は、シンク判定時期に、再生率検出部１９によって検出された再生率が所定の再生率以上となっている場合には、車載機側制御部１８の制御によって、ホーム・コンピュータ２に、シンクデータ生成部１０が生成した複数個のシンクデータにおける新たなシンクデータを要求するようになっている。なお、所定の再生率は、５０％であってもよい。
【００６３】
ホーム・コンピュータ２は、車載機３側からの要求に応答して、ホーム側制御部９の制御により、車載機側ハードディスクドライブ１５に既に記憶されている１個のシンクデータの次の新たな１個のシンクデータを送信するようになっている。
【００６４】
ホーム・コンピュータ２から送信された新たな１個のシンクデータは、車載機３によって受信された後、車載機側制御部１８の制御によって車載機側ハードディスクドライブ１５に上書きされるようになっている。これにより、車載機側ハードディスクドライブ１５に記憶されているシンクデータが入れ替わることになる。
【００６５】
具体的な例としては、例えば、図３に示すように、第１回目のシンク判定時期（図３における１回目シンク判定時期）には、車載機側ハードディスクドライブ１５にシンクデータが全く記憶されていないため、ホーム・コンピュータ２から車載機３に、１個分のシンクデータとしてSync Data (1)が送信されて車載機側ハードディスクドライブ１５に記憶されるようになっている。
【００６６】
これによって、複数回に分割されたシンク処理のうちの第１回目のシンク処理（図３における１回目シンク処理）が行われることになる。
【００６７】
第２回目のシンク判定時期（２回目シンク判定時期）には、車載機３におけるSync Data (1)の再生率が所定の再生率５０％未満であるため、シンク処理は行われないようになっている。
【００６８】
第３回目のシンク判定時期（３回目シンク判定時期）には、車載機３におけるSync Data (1)の再生率が５０％以上であるため、ホーム・コンピュータ２から車載機３にSync Data (1)の次のSync Data (2)が送信されるようになっている。そして、ホーム・コンピュータ２から送信されたSync Data (2)は、車載機３によって受信された後、車載機側ハードディスクドライブ１５に既に記憶されているSync Data (1)に上書きされるようになっている。これによって、第２回目のシンク処理（２回目シンク処理）が行われることになる。
【００６９】
このように、本実施形態においては、シンク判定時期に、車載機側ハードディスクドライブ１５に記憶されている１個のシンクデータの再生率が低い場合には、その時期のシンク処理を行わないようにすることが可能となる。
【００７０】
この結果、車載機に保持されているシンクデータの入れ替えをともなう定期的なシンク処理の弊害を有効に除去することができる。例えば、車載機側ハードディスクドライブ１５に記憶されているシンクデータに含まれる複数曲分の車載機側音楽データがほとんど聴かれていないのにもかかわらず、定期的なシンク処理によって別の音楽データに入れ替わることを防止することができる。また、ユーザが、車載機側ハードディスクドライブ１５内の複数曲分の音楽データのうちの特定の音楽データを気に入って何度も再生しているために再生率が低いような場合に、定期的なシンク処理によって当該特定の音楽データが失われることを防止することができる。
【００７１】
次に、本実施形態における情報システム１の動作について、図４を参照して説明する。
【００７２】
まず、図４のステップ１（ＳＴ１）において、ホーム・コンピュータ２は、ホーム側制御部９の制御により、ホーム側ハードディスクドライブ６に記憶された複数曲分のホーム側音楽データをランダムに抽出することによって、図３に示したような５個のシンクデータSync Data (1)〜(5)を生成する。
【００７３】
次いで、ステップ２（ＳＴ２）において、第１回目のシンク判定時期（１回目シンク判定時期）となったら、続くステップ３（ＳＴ３）において、車載機３は、車載機側制御部１８の制御（車載機制御プログラムの実行）により、無線ＬＡＮ５に接続する。
【００７４】
次いで、ステップ４（ＳＴ４）において、車載機３は、車載機側制御部１８の制御により、ホーム・コンピュータ２にシンクデータを要求する。
【００７５】
次いで、ステップ５（ＳＴ５）において、ステップ４（ＳＴ４）における要求を受けたホーム・コンピュータ２は、ホーム側制御部９の制御（ホーム・コンピュータ制御プログラムの実行）により、車載機３にSync Data (1)を送信する。
【００７６】
次いで、ステップ６（ＳＴ６）において、車載機３は、車載機側制御部１８の制御により、ステップ５（ＳＴ５）において送信されたSync Data (1)を受信するとともに、この受信したSync Data (1)を車載機側ハードディスクドライブ１５に記憶させる。これにより、Sync Data (1)の車載機３への提供が完了する。
【００７７】
次いで、ステップ７（ＳＴ７）において、車載機３は、車載機側制御部１８の制御により、無線ＬＡＮ５を切断する。なお、ステップ６（ＳＴ６）の処理とステップ７（ＳＴ７）の処理とは、互いに前後してもよい。
【００７８】
次いで、ステップ８（ＳＴ８）に示すように、車載機３は、車載機側オーディオ再生部２４によって、Sync Data (1)に含まれる複数曲分の車載機側音楽データを再生する。
【００７９】
次いで、ステップ９（ＳＴ９）において、第２回目のシンク判定時期（２回目シンク判定時期）となったら、続くステップ１０（ＳＴ１０）において、車載機側制御部１８は、再生率検出部１９にSync Data (1)に含まれる車載機側音楽データの再生率を検出させる。そして、車載機側制御部１８は、再生率検出部１９によって検出された再生率が、所定の再生率（例えば、５０％）未満であると判定する。
【００８０】
次いで、ステップ１１（ＳＴ１１）において、車載機３は、車載機側制御部１８の制御により、ホーム・コンピュータ２へのシンクデータの要求を行わない。
【００８１】
次いで、ステップ１２（ＳＴ１２）において、第３回目のシンク判定時期（３回目シンク判定時期）となったら、続くステップ１３（ＳＴ１３）において、車載機側制御部１８は、再生率検出部１９にSync Data (1)に含まれる車載機側音楽データの再生率を再び検出させる。そして、車載機側制御部１８は、再生率検出部１９によって検出された再生率が、所定の再生率以上であると判定する。
【００８２】
次いで、ステップ１４（ＳＴ１４）において、車載機３は、車載機側制御部１８の制御により、無線ＬＡＮ５に接続する。
【００８３】
次いで、ステップ１５（ＳＴ１５）において、車載機３は、車載機側制御部１８の制御により、ホーム・コンピュータ２にシンクデータを要求する。
【００８４】
次いで、ステップ１６（ＳＴ１６）において、ステップ１５（ＳＴ１５）における要求を受けたホーム・コンピュータ２は、ホーム側制御部９の制御により、車載機３にSync Data (2)を送信する。
【００８５】
次いで、ステップ１７（ＳＴ１７）において、車載機３は、車載機側制御部１８の制御により、ステップ１６（ＳＴ１６）において送信されたSync Data (2)を受信するとともに、この受信したSync Data (2)を車載機側ハードディスクドライブ１５に記憶させる。このとき、車載機側ハードディスクドライブ１５に既に記憶されていたSync Data (1)は、Sync Data (2)が上書きされることによって消去される。これにより、Sync Data (2)の車載機３への提供が完了する。
【００８６】
次いで、ステップ１８（ＳＴ１８）において、車載機３は、車載機側制御部１８の制御により、無線ＬＡＮ５を切断する。なお、ステップ１７（ＳＴ１７）の処理とステップ１８（ＳＴ１８）の処理とは、互いに前後してもよい。
【００８７】
このような動作をSync Data (5)まで繰り返すことによって、５個のシンクデータSync Data (1)〜(5)を用いた５回に分割されたシンク処理が完了する。
【００８８】
（第２実施形態）
次に、本発明の第２実施形態について、第１実施形態との差異を中心に、図５乃至図７を参照して説明する。
【００８９】
なお、第１実施形態と基本的構成が同一もしくはこれに類する箇所については、同一の符号を用いて説明する。
【００９０】
図５に示すように、本実施形態における情報システム２６は、ホーム側音楽データのランダムな抽出によって生成された複数個のシンクデータを用いて、ホーム・コンピュータ２７と車載機２８との間での複数回に分割されたシンク処理を行う際に、車載機側音楽データの再生率に基づいて１回分のシンク処理の実行の有無を決定する点で第１実施形態と同様である。
【００９１】
ただし、本実施形態における情報システム２６は、元の複数個のシンクデータを用いたシンク処理の完了率に応じて新たな複数個のシンクデータを用いたシンク処理に移行する点で、第２実施形態と特徴的な差異を有している。
【００９２】
すなわち、図５に示すように、車載機２８のシステムバス１６には、シンク処理完了率検出部３０が接続されている。
【００９３】
シンク処理完了率検出部３０は、車載機側制御部３５の制御（車載機制御プログラムの実行）により、シンクデータ生成部３４におけるシンクデータの生成数に対する車載機３に送信されて車載機側ハードディスクドライブ１５に記憶されたシンクデータの個数の割合である同期処理完了率としてのシンク処理完了率を検出するようになっている。
【００９４】
車載機２８は、シンク処理完了率検出部３０によって検出されたシンク処理完了率が所定のシンク処理完了率となった場合には、車載機側制御部３５の制御によって、ホーム・コンピュータ２７に新たな複数個のシンクデータの生成を要求するようになっている。
【００９５】
この要求に応答して、ホーム・コンピュータ２７のシンクデータ生成部３４は、ホーム側制御部３３の制御により、ホーム側ハードディスクドライブ６に記憶された複数曲分のホーム側音楽データを再びランダムに抽出することによって、新たな複数個のシンクデータを生成するようになっている。
【００９６】
ホーム・コンピュータ２７は、ホーム側制御部３３の制御により、新たな複数個のシンクデータを、元の複数個のシンクデータのときと同様に、再生率に基づく車載機２８からのシンクデータの要求に応答して車載機２８に順次送信するようになっている。
【００９７】
車載機２８は、ホーム・コンピュータ２７から順次送信される新たな複数個のシンクデータを、車載機側制御部３５の制御によって車載機側ハードディスクドライブ１５に順次択一的に記憶させるようになっている。
【００９８】
具体的な例としては、図６に示すように、元の５個のシンクデータSync Data (A1)〜(A5)を用いた５回に分割されたシンク処理の過程で、第ｋ（ｋ≧４）回目のシンク判定時期（ｋ回目シンク判定時期）においては、Sync Data (A3)の再生率が所定の再生率５０％以上であるため、ホーム・コンピュータ２７から車載機２８にSync Data (A3)の次のSync Data (A4)が送信されるようになっている。
【００９９】
ホーム・コンピュータ２７から送信されたSync Data (A4)は、車載機２８によって受信された後、車載機側ハードディスクドライブ１５に既に記憶されているSync Data (A3)に上書きされるようになっている。これによって、第４回目のシンク処理（４回目シンク処理）が行われることになる。
【０１００】
この時点で、シンク処理完了率は所定のシンク処理完了率である８０％となるので、車載機２８からホーム・コンピュータ２７に新たな５個のシンクデータの生成が要求されるようになっている。
【０１０１】
これにより、ホーム・コンピュータ２７側に新たな５個のシンクデータSync Data (B1)〜(B5)が生成されるようになっている。
【０１０２】
そして、第ｋ＋１回目のシンク判定時期（ｋ＋１回目シンク判定時期）には、Sync Data (A4)の再生率が所定の再生率５０％以上であるため、ホーム・コンピュータ２７から車載機２８にSync Data (B1)が送信されるようになっている。
【０１０３】
ホーム・コンピュータ２７から送信されたSync Data (B1)は、車載機２８によって受信された後、車載機側ハードディスクドライブ１５に既に記憶されているSync Data (A4)に上書きされるようになっている。これによって、第５回目のシンク処理（５回目シンク処理）が行われることになる。
【０１０４】
このように、本実施形態においては、新たな複数個のシンクデータを生成することによって、元の複数個のシンクデータにおける車載機２８に未提供の末尾側のシンクデータ（例えば、図６におけるSync Data (A5)）に含まれている音楽データを、新たな複数個のシンクデータにおける先頭側のシンクデータ（例えば、図６におけるSync Data (B1)）に含ませることが可能となる。これにより、例えば、元の複数個のシンクデータにおいては最後まで再生されないような末尾のシンクデータに含まれる音楽データをすみやかに再生することも可能となり、より多様な音楽データを再生することができる。
【０１０５】
次に、本実施形態における情報システム２６の動作について、図７を参照して説明する。
【０１０６】
なお、便宜上、初期状態において、情報システム２６は、図６に示した元の５個のシンクデータSync Data (A1)〜(A5)を用いた５回に分割されたシンク処理の過程にあり、車載機側ハードディスクドライブ１５には、Sync Data (A3)が記憶されているものとする。
【０１０７】
そして、初期状態から、図７のステップ２１（ＳＴ２１）において、第ｋ（ｋ≧４）回目のシンク判定時期（ｋ回目シンク判定時期）となったら、続くステップ２２（ＳＴ２２）において、車載機側制御部３５は、再生率検出部１９にSync Data (A3)に含まれる車載機側音楽データの再生率を検出させる。そして、車載機側制御部３５は、再生率検出部１９によって検出された再生率が、所定の再生率（例えば、５０％）以上であると判定する。
【０１０８】
次いで、ステップ２３（ＳＴ２３）において、車載機２８は、車載機側制御部３５の制御により、無線ＬＡＮ５に接続する。
【０１０９】
次いで、ステップ２４（ＳＴ２４）において、車載機２８は、車載機側制御部３５の制御により、ホーム・コンピュータ２７にシンクデータを要求する。
【０１１０】
次いで、ステップ２５（ＳＴ２５）において、ステップ２４（ＳＴ２４）における要求を受けたホーム・コンピュータ２７は、ホーム側制御部３３の制御により、車載機２８にSync Data (A4)を送信する。
【０１１１】
次いで、ステップ２６（ＳＴ２６）において、車載機２８は、車載機側制御部３５の制御により、ステップ２５（ＳＴ２５）において送信されたSync Data (A4)を受信するとともに、この受信したSync Data (A4)を車載機側ハードディスクドライブ１５に記憶させる。このとき、車載機側ハードディスクドライブ１５に既に記憶されていたSync Data (A3)は、Sync Data (A4)が上書きされることによって消去される。
【０１１２】
次いで、ステップ２７（ＳＴ２７）において、車載機２８は、車載機側制御部３５の制御により、無線ＬＡＮ５を切断する。
【０１１３】
なお、ステップ２６（ＳＴ２６）の処理とステップ２７（ＳＴ２７）の処理とは、互いに前後してもよい。
【０１１４】
次いで、ステップ２８（ＳＴ２８）において、車載機側制御部３５は、シンク処理完了率検出部３０によって検出されたシンク処理完了率が、所定のシンク処理完了率（例えば、８０％）であると判定する。
【０１１５】
次いで、ステップ２９（ＳＴ２９）において、車載機２８は、車載機側制御部３５の制御により、無線ＬＡＮ５に接続する。
【０１１６】
次いで、ステップ３０（ＳＴ３０）において、車載機２８は、車載機側制御部３５の制御により、ホーム・コンピュータ２７に新たな５個のシンクデータの生成を要求する。
【０１１７】
次いで、ステップ３１（ＳＴ３１）において、車載機２８は、車載機側制御部３５の制御により、無線ＬＡＮ５を切断する。
【０１１８】
次いで、ステップ３２（ＳＴ３２）において、シンクデータ生成部３４は、ホーム側制御部３３の制御により、ホーム側ハードディスクドライブ６に記憶されたホーム側音楽データを再びランダムに抽出することによって新たな５個のシンクデータSync Data (B1)〜(B5)を生成する。
【０１１９】
次いで、ステップ３３（ＳＴ３３）において、第ｋ＋１（ｋ≧４）回目のシンク判定時期（ｋ＋１回目シンク判定時期）となったら、続くステップ３４（ＳＴ３４）において、車載機側制御部３５は、再生率検出部１９にSync Data (A4)に含まれる車載機側音楽データの再生率を検出させる。そして、車載機側制御部３５は、再生率検出部１９によって検出された再生率が、所定の再生率以上であると判定する。
【０１２０】
次いで、ステップ３５（ＳＴ３５）において、車載機２８は、車載機側制御部３５の制御により、無線ＬＡＮ５に接続する。
【０１２１】
次いで、ステップ３６（ＳＴ３６）において、車載機２８は、車載機側制御部３５の制御により、ホーム・コンピュータ２７にシンクデータを要求する。
【０１２２】
次いで、ステップ３７（ＳＴ３７）において、ステップ３６（ＳＴ３６）における要求を受けたホーム・コンピュータ２７は、ホーム側制御部３３の制御により、車載機２８にSync Data (B1)を送信する。
【０１２３】
次いで、ステップ３８（ＳＴ３８）において、車載機２８は、車載機側制御部３５の制御により、ステップ３７（ＳＴ３７）において送信されたSync Data (B1)を受信するとともに、この受信したSync Data (B1)を車載機側ハードディスクドライブ１５に記憶させる。このとき、車載機側ハードディスクドライブ１５に既に記憶されていたSync Data (A4)は、Sync Data (B1)が上書きされることによって消去される。
【０１２４】
次いで、ステップ３９（ＳＴ３９）において、車載機２８は、車載機側制御部３５の制御により、無線ＬＡＮ５を切断する。
【０１２５】
なお、ステップ３８（ＳＴ３８）の処理とステップ３９（ＳＴ３９）の処理とは、互いに前後してもよい。
【０１２６】
以上述べたように、本発明によれば、シンク判定時期に、必ずしも１回分のシンク処理を行うのではなく、その時期に車載機側ハードディスクドライブ１５に記憶されているシンクデータに含まれる車載機側音楽データの再生率が低い場合には、その時期のシンク処理を行わないようにすることが可能となる。この結果、シンクデータの入れ替えをともなう定期的なシンク処理の弊害を除去することによって、利便性を向上させることができる。
【０１２７】
また、本発明によれば、元の複数個のシンクデータにおける車載機２８に未提供の末尾側のシンクデータに含まれている音楽データを、新たな複数個のシンクデータにおける先頭側のシンクデータに含ませることが可能となる。この結果、より多様な音楽データを車載機２８に提供することができ、車載機２８側でより多様な音楽データを再生することができる。
【０１２８】
さらに、本発明によれば、無線ＬＡＮ５を介してシンク処理を簡便に行うことができる結果、利便性をさらに向上させることができる。
【０１２９】
なお、本発明は、前述した実施の形態に限定されるものではなく、必要に応じて種々の変更が可能である。
【０１３０】
例えば、無線ＬＡＮ５以外の無線通信または有線通信によって、ホーム・コンピュータと車載機とを通信可能に形成するようにしてもよい。
【０１３１】
また、前述した実施形態においては、情報処理装置としてホーム・コンピュータが用いられているが、本発明は、このような構成に限定されるものではなく、ホーム・コンピュータ以外の情報処理装置にも有効に適用することができるものである。例えば、情報処理装置は、情報センタに管理された個人用サーバであってもよい。
【０１３２】
さらに、本発明は、音楽データ以外の再生対象データ（映像データ等）にも有効に適用することができる。
【０１３３】
また、車載機の記憶容量によっては、車載機側ハードディスクドライブ１５に２個以上のシンクデータを記憶させるようにしてもよいし、また、シンクデータのデータサイズを大きくするようにしてもよい。
【図面の簡単な説明】
【０１３４】
【図１】本発明に係る情報システムの第１実施形態の概要を示す構成図
【図２】本発明に係る情報システムの第１実施形態の詳細を示すブロック図
【図３】本発明に係る情報システムの第１実施形態において、同期処理の概要を模式的に示す説明図
【図４】本発明に係る情報システムの第１実施形態を示すシーケンス図
【図５】本発明に係る情報システムの第２実施形態の詳細を示すブロック図
【図６】本発明に係る情報システムの第２実施形態において、同期処理の概要を模式的に示す説明図
【図７】本発明に係る情報システムの第２実施形態を示すシーケンス図
【図８】従来の同期処理の概要を模式的に示す説明図
【符号の説明】
【０１３５】
１，２６  情報システム
２，２７  ホーム・コンピュータ
３，２８  車載機
【図１】
2007149150.tif 000003
【図２】
2007149150.tif 000004
【図３】
2007149150.tif 000005
【図４】
2007149150.tif 000006
【図５】
2007149150.tif 000007
【図６】
2007149150.tif 000008
【図７】
2007149150.tif 000009
【図８】
2007149150.tif 000010